(57)【要約】【課題】   簡易な構造によりケース体から引き出されるコードをより確実に保持する。【解決手段】  合成樹脂製ケース体３のコード引出し部１６に近接して少なくとも一対の係止ボス２３，２４を一体に突設し、これら係止ボス間に蛇行状態に絡ませたコード１７を外部へと引き出す。押さえ板部２７と、各係止ボス２３，２４に対応する少なくとも２個の係止筒部２９，３０を有するコード係止部材２５を備え、各係止筒部の軸孔３４，３５に各係止ボスを嵌合して組み付けてコード１７を保持する。【選択図】  図５
2005129563.tif 000002
【特許請求の範囲】
【請求項１】
合成樹脂製のケース体にコード引出し部を形成するとともに、このコード引出し部に近接して少なくとも一対の係止ボスを一体に突設し、これら係止ボス間に蛇行状態に絡ませたコードを前記コード引出し部を介して前記ケース体の外部へと引き出してなるコード保持構造において、
押さえ板部と、この押さえ板部の主面にそれぞれ前記係止ボスに対向して少なくとも２個の係止筒部が一体に立設され、前記係止筒部の軸孔に前記係止ボスをそれぞれ嵌合することによって前記ケース体に組み付けられる合成樹脂製のコード係止部材を備え、
前記コードが、前記コード係止部材の前記各係止筒部の外周部に蛇行状態で絡ませられるとともに前記押さえ板部によって抜け止めされて前記ケース体から引き出されることを特徴とするコード保持構造。
【請求項２】
コード引出し部に沿ってケース体の外周壁部の内面に外周面が円弧状断面に形成されてなるコード引出しガイド部を形成し、このコード引出しガイド部を介して前記コード引出し部と対向して設けられた前記係止ボス間に蛇行状態に絡ませられた前記コードを折り返して前記コード引出し部から引き出すようにしてなり、
前記コード係止部材が、前記係止筒部とともに一体に形成した嵌合軸部を、筒状に形成された前記コード引出しガイド部の軸孔内に嵌合して前記ケース体に組み付けられることにより、前記押さえ板部によって前記コード引出し部において前記コードを保持することを特徴とする請求項１に記載のコード
【発明の詳細な説明】
【技術分野】
【０００１】
本発明は、電子機器等において、ケース体から引き出される電源コードや信号線ケーブル等（本明細書においては、コードと総称する。）を引張り力や曲げ応力等に対して保持するコードの保持構造に関する。
【背景技術】
【０００２】
電子機器においては、ケース体に設けたコード引出し部からコードを引き出して電源或いは本体機器或いは付属機器等との接続を行っている。電子機器においては、一般にコードに対して引張り力や曲げ応力が加えられた場合でも、ケース体内での接続部等にその負荷が作用されないようにするとともにコード自体の破損等を防止するコード保持構造が設けられている。
【０００３】
最も簡易なコード保持構造としては、例えばコード引出し部の内側においてコードに結び目を作る方法がある。かかるコード保持構造は、結び目がコード引出し孔やブッシュによって係止されることで、コードを抜け止めするとともに接続部に対して負荷が作用されないようにする。
【０００４】
また、図７に示したコード保持構造は、ケース体１００の外周壁部１０１にコード引出し孔１０２が形成されるとともに、ケース体１００の底面部１０３にコード引出し孔１０２と対向して一対の係止ボス１０４、１０５が一体に立設されてなり、コード１０６をこれら係止ボス１０４、１０５間に蛇行状態に絡ませてコード引出し孔１０２からケース体１００の外方へと引き出してなる。かかるコード保持構造においては、コード１０６に対して外部から引張り力等が加えられた場合に、各係止ボス１０４、１０５で締まり状態を呈することで抜け止めされるとともに接続部に対して負荷が作用されないようにする。
【０００５】
なお、上述したコード保持構造は、ケース体１００に対してコード引出し孔１０２の対向部位ばかりでなく、必要に応じてケース体１００の内部においてコード１０６の引き回し経路に沿って複数箇所に適宜形成される。かかるコード保持構造については、例えば特許文献１に開示されている。
【特許文献１】実開平７−４２１７２号公報
【発明の開示】
【発明が解決しようとする課題】
【０００６】
ところで、上述したコード保持構造においては、コード１０６に対して大きな引張り力等が負荷されたり衝撃等が加えられた場合でも、係止ボス１０４、１０５が撓んだり折れ曲がったりしない充分な機械的強度を有してその外周部に絡んだコード１０６を保持する必要がある。コード保持構造においては、このために各係止ボス１０４、１０５が所定の軸径と軸長とを以ってケース体１００の底面部１０３に一体に立設される。
【０００７】
しかしながら、ケース体１００は、底面部１０３の内面に大きな軸径や軸長を有する係止ボス１０４、１０５を一体に立設した場合に、材料樹脂の硬化状態が不均一となるために図８に示すようにこれら係止ボス１０４、１０５に対向する表面側にヒケ１０７、１０７が発生してしまう。ケース体１００は、このために外観不良が生じてしまうといった問題があった。ケース体１００は、係止ボス１０４、１０５を多数箇所に形成するようにした場合に、かかる問題がより顕著になる。
【０００８】
ケース体１００においては、図９に示すように各係止ボス１０４、１０５を細径で短軸化して形成することにより、上述した問題点を解消する対応が図られる。しかしながら、ケース体１００においては、かかる対応を講じた場合に、例えばコード１０６が図７矢印ａで示す方向に強く引っ張られることによって充分な機械的強度を有しないために係止ボス１０５が同図矢印ｂの方向に撓んでコード１０６が外れてしまうことがあった。また、ケース体１００においては、係止ボス１０４、１０５が充分な軸長を有していないために振動等によってコード１０６に次第にずれが生じて、図９の鎖線で示すようにこれら係止ボス１０４、１０５から外れてしまうことがあった。
【０００９】
したがって、本発明は、簡易な構造によりケース体から引き出されるコードをより確実に保持するとともに、コードを絡ませる係止ボスの形成部位におけるケース体のヒケの発生を抑制してケース体が良好な外観に形成されるようにするコード保持構造を提供することを目的とする。
【課題を解決するための手段】
【００１０】
上述した目的を達成する本発明にかかるコード保持構造は、合成樹脂製のケース体にコード引出し部を形成するとともに、このコード引出し部に近接して少なくとも一対の係止ボスを一体に突設し、これら係止ボス間に蛇行状態に絡ませたコードをコード引出し部を介してケース体の外部へと引き出してなる。本発明にかかるコード保持構造は、押さえ板部と、この押さえ板部の主面にそれぞれ係止ボスに対向して少なくとも２個の係止筒部が一体に立設され、係止筒部の軸孔に係止ボスをそれぞれ嵌合することによってケース体に組み付けられる合成樹脂製のコード係止部材を備える。
【００１１】
本発明にかかるコード保持構造によれば、係止ボス間に蛇行状態に絡ませられたコードがコード引出し部からケース体の外部へと引き出されることから、コードに引張り力等が作用されても内部側の接続部等への負荷を抑制して断線等の発生を防止する。本発明にかかるコード保持構造によれば、コード係止部材が各係止筒部の軸孔に係止ボスをそれぞれ嵌合させてケース体に組み付けられることにより、各係止筒部と係止ボスとが共軸構造を構成する。本発明にかかるコード保持構造によれば、各係止筒部がコードの内周部と係止ボスの外周部との間に介在してその外周部にコードを蛇行状態で絡ませるとともに、押さえ板部がコードの上方部に延在して浮き上がりを阻止して抜け止めする。
【００１２】
また、本発明にかかるコード保持構造は、コード引出し部に沿ってケース体の外周壁部の内面に外周面が円弧状断面に形成されてなるコード引出しガイド部を形成し、このコード引出しガイド部に沿ってコード引出し部と対向して設けられた係止ボス間に蛇行状態に絡ませられたコードを折り返してコード引出し部から引き出すようにしてなる。本発明にかかるコード保持構造は、コード係止部材が、係止筒部とともに一体に形成した嵌合軸部を、筒状に形成されたコード引出しガイド部の軸孔内に嵌合してケース体に組み付けられることにより、押さえ板部によってコード引出し部においてもコードの浮き上がりを阻止して保持部からの外れ止めが図られる。
【発明の効果】
【００１３】
以上のように構成された本発明にかかるコード保持構造によれば、押さえ板部と複数の係止筒部を一体に形成した構造簡易で廉価なコード係止部材を追加し、ケース体側の係止ボスとコード係止部材側の係止筒部とで共軸構造を構成してその外周部にコードを蛇行状態に絡ませて保持するとともに押さえ板部によってコードの外れを防止することにより、引張り力や曲げ応力等の外部負荷に対してコードが確実に保持されて内部の接続部との断線或いはコード自体の破損の発生が防止されるようになる。また、本発明にかかるコード保持構造によれば、ケース体側の係止ボスとコード係止部材側の係止筒部との共軸構造により、所定の軸径と軸長とを有して充分な機械的強度のコード係止部を構成して蛇行状態で絡げるにようにする。したがって、本発明にかかるコード保持構造によれば、軸径や高
さを規制してケース体に係止ボスを一体に形成することによってこの係止ボスの形成領域にヒケ等の発生を抑制した仕上がり精度が向上されたケース体の製作が可能となる。
【００１４】
本発明にかかるコード保持構造によれば、円弧状断面に形成されたコード引出しガイド部の外周部に沿ってコードをコード引出し部からケース体の外部へと引き出すことから、コード引出し部において無理な捩れも生じることなくまた大きな曲げ応力等が負荷されてもコード引出し部においてコードの破損が確実に防止されるようにする。また、本発明にかかるコード保持構造によれば、押さえ板部によってコード引出し部においてもコードの浮き上がりを阻止してコード保持部からの外れ止めが行われることで、より信頼性の向上が図られるようになる。
【発明を実施するための最良の形態】
【００１５】
以下、本発明の実施の形態として示すコード保持構造を備えたキーボード装置１について、図面を参照して詳細に説明する。キーボード装置１は、図１及び図２に示すように、合成樹脂製のキーフレーム２とボトムケース３とを備え、一般的なキーボード装置のようにキーフレーム２を覆うトップフレームを有していない独自の形態を以って構成される。キーボード装置１は、一般的なキーボード装置と同様に、例えばパーソナルコンピュータ等の本体機器と有線或いは無線によって接続され、文字情報や数字情報或いは記号情報等を出力しまた所定機能の実行指示情報を出力する入力端末装置として用いられる。また、キーボード装置１は、本体機器に対して直接組み込まれて、上述した各情報等の入力操作を行う入力端末部を構成することも可能である。
【００１６】
キーフレーム２は、合成樹脂材によって一体に成形された前下がりのプレート体からなる。キーフレーム２には、図１及び図２に示すように、文字や数字或いは記号等がそれぞれ割り当てられたり機能実行を指示するための多数個のキートップ４が搭載されている。各キートップ４には、図示を省略するが表面或いは周面に割り当てられた文字や数字等の指標が設けられており、割り当て機能に応じてそれぞれ形状或いは大きさを異にして形成されている。キーフレーム２には、詳細を省略するが主面上に所定の順序に配列されて、多数個の筒状のキートップ支持部が一体に形成されている。各キートップ支持部は、詳細を省略するが、それぞれ底面に貫通するキー組込み孔を有しており、これらキー組込み孔にそれぞれキートップ４が抜け止めされた状態で上下方向に移動自在に組み付けられている。
【００１７】
キーフレーム２には、図２に示すように、底面部に回路基板６が組み合わされており、この回路基板６上に図示しないが所定の順序に配列されて多数個のタクトスイッチが搭載されている。各タクトスイッチは、それぞれがキートップ支持部に対向され、アクチュエータをキートップ支持部の底部に臨ませるようにして回路基板６に搭載されている。キーフレーム２においては、キートップ支持部に組み付けられた各キートップ４が、その底部に一体に形成した作動部をタクトスイッチに設けた筒状のアクチュエータに嵌合されてなる。キーフレーム２においては、それぞれアクチュエータによって上方へと付勢された各キートップ４を押圧操作することにより、このキートップ４が相対するタクトスイッチを閉成して所定の信号を出力する。
【００１８】
なお、キーフレーム２は、上述した構造に限定されるものでは無く、従来のキーボード装置に採用されている種々の構造を備えるようにしてもよい。キーフレーム２は、例えば各キートップ４をいわゆるピアノタッチ支持構造によって支持するとともに、回路基板６に形成したスイッチパターンと、このスイッチパターンを覆うようにして回路基板６に重ね合わせたスイッチラバーとによってスイッチ構造を構成するようにしてもよい。
【００１９】
キーフレーム２は、詳細を後述するように奥行き方向の側縁部がボトムケース３との係合部を構成する。キーフレーム２には、図示しないが手前側の側縁部に沿ってそれぞれ所定の間隔を以って複数個の取付孔が形成されており、ボトムケース３側からそれぞれ止めねじがねじ込まれることによってボトムケース３と固定される。キーフレーム２には、図示しないが底面部に複数個の位置決め凸部１０が一体に形成されている。
【００２０】
ボトムケース３は、合成樹脂材によって底面部７と、その外周部に全周に亘って一体に立ち上がり形成された外周壁部８とからなり、キーフレーム２を収納するに足る横長矩形の内部空間を有する略薄箱状に成形されてなる。ボトムケース３は、図１及び図２に示すように、キーフレーム２の前下がり形状に応じて外周壁部８が手前側から奥行き方向に向かって次第にその高さが大きくなるように形成されている。ボトムケース３は、外周壁部８の内面に全周に亘ってキーフレーム受け部９が一体に形成されている。キーフレーム受け部９は、外周壁部８の開口縁からキーフレーム２の厚みとほぼ等しい高さにおいて段部を構成するようにして形成された部位からなり、ボトムケース３に組み合わされたキーフレーム２の底面部の外周縁部を全周に亘って支持する。
【００２１】
ボトムケース３には、図３及び図４に示すように、手前側の外周壁部８に沿って底面部７にキーフレーム２側の各取付孔と対向してそれぞれ貫通孔からなる複数個の取付孔１０が形成されている。ボトムケース３には、底面部７にキーフレーム２側の位置決め凸部と対向して複数個の位置決めボス１１が一体に突設されている。
【００２２】
ボトムケース３には、奥行き側の外周壁部８ａの内周側に位置して、長手方向に対してそれぞれ所定の間隔を以って複数個の係合凸部１２が一体に突設されている。各係合凸部１２は、図２乃至図４に示すようにそれぞれボトムケース３の内部空間に突出する水平方向の舌片状凸部からなり、キーフレーム受け部９の上縁部に対してキーフレーム２の厚みとほぼ等しい間隔を以って突出されている。また、各係合凸部１２は、詳細を省略するがボトムケース３に対してキーフレーム２を組み合わせた状態で、キーフレーム２側の奥行き側の外周部に沿って配列された各キートップ４の隣り合うキートップ間に位置するようにして形成されている。
【００２３】
ボトムケース３には、底面部７の奥行き側の外周壁部８ａに沿った中央部位に一体に立設された立壁１３によって囲まれた空間部１４が設けられている。ボトムケース３は、この空間部１４内に制御回路基板１５が搭載されるとともに、空間部１４に対向して外周壁部８ａに形成したコード引出し部１６からコード１７を引き込んでいる。制御回路基板１５は、詳細を省略するがキーフレーム２側の回路基板６とコネクタ接続されるとともに、各タクトスイッチからの出力に対して信号処理を施したりパーソナルコンピュータ側との信号授受を行ったりするマイクロプロセッサやコントローラ或いはメモリ等が搭載されている。
【００２４】
ボトムケース３には、空間部１４内において、外周壁部８ａから引き込んだコード１７に設けたコネクタ１８を制御回路基板１５に搭載したコネクタ１９と接続し、また詳細を後述するがコード１７を保持するコード保持構造２０が設けられている。なお、ボトムケース３は、空間部１４内に赤外線送受光器を設けて、パーソナルコンピュータ側と無線で信号授受を行うようにしてもよい。また、ボトムケース３には、例えば底面部７の底面側に折り畳み自在なスタンド部材を設けることによって、キーフレーム２の前下がり傾斜角度を調整自在とするようにしてもよい。
【００２５】
以上のように構成されたキーフレーム２とボトムケース３とを備えるキーボード装置１は、ボトムケース３に対してその上方から、予め各キートップ４が搭載されるとともに回路基板６が組み付けられたキーフレーム２が組み付けられる。キーボード装置１においては、キーフレーム２が、ボトムケース３に対して奥行き方向の側縁部をキーフレーム受け部９上に乗せて手前側から奥へと押し込まれるようにして組み合わされる。キーボード装置１においては、キーフレーム２が、その側縁部を奥行き方向の外周壁部８ａの内面に突き当てられた状態において、この側縁部がキーフレーム受け部９の上縁部と各係合凸部１２とによって挟まれることによりボトムケース３に組み合わされる。
【００２６】
キーボード装置１においては、キーフレーム２側の各位置決め凸部がボトムケース３側の各位置決めボスと相対係合するとともに、相対するそれぞれの各取付孔が互いに連通状態となっている。キーボード装置１においては、ボトムケース３の底面側から各取付孔１０に止めねじをそれぞれ挿通し、これら止めねじをキーフレーム２側の取付孔までねじ込んで固定することによってキーフレーム２とボトムケース３とが一体化される。
【００２７】
キーボード装置１においては、コード保持構造２０によってコード１７をしっかりと保持することによって、外部からの引張り力や曲げ応力等の外部負荷に対してコード１７が確実に保持されて制御回路基板１５との接続状態が確実に保持されるようにする。また、キーボード装置１においては、コード保持構造２０によって、コード１７を介して大きな外部負荷が制御回路基板１５に伝達されないようにするとともに、コード１７に途中箇所での断線或いは破損の発生が防止されるようにする。キーボード装置１においては、コード保持構造２０によって、振動や衝撃等が加えられた場合でもコード１７の浮き上がりを防止する。
【００２８】
コード保持構造２０は、図５に示すように、ボトムケース３側のコード引出し部１６を構成するコード引出し孔２１及びコード引出しガイド部２２と、底面部７に一体に立設された一対の第１係止ボス２３及び第２係止ボス２４と、ボトムケース３に組み付けられるコード係止部材２５とから構成される。コード引出し部１６は、外周壁部８ａにコード１７の外径とほぼ等しい孔径を有するコード引出し孔２１が形成され、このコード引出し孔２１の内側開口部の一方側に沿ってキーフレーム受け部９の内面にコード引出しガイド部２２が形成されてなる。コード引出しガイド部２２は、高さ方向の嵌合孔２６を有して内方へと突出する筒状の凸部からなり、外周面が円弧状に形成されてなる。
【００２９】
第１係止ボス２３及び第２係止ボス２４は、ボトムケース３の底面部７に、それぞれの軸径と軸長とが底面にヒケ等の発生を抑制させる小寸法を以って形成されてなる。第１係止ボス２３及び第２係止ボス２４は、コード引出しガイド部２２の高さよりも短軸とされるとともに、コード１７の外径とほぼ同等若しくは短軸に形成されてなる。第１係止ボス２３は、コード引出しガイド部２２と対向して、コード１７の外径よりもやや大きな間隔を保持する位置に立設されている。第２係止ボス２４は、コード引出し孔２１を挟んで第１係止ボス２３と対向する位置にコード１７の外径よりもやや大きな間隔を保持して立設されている。
【００３０】
コード係止部材２５は、合成樹脂によって一体に成形され、図５及び図６に示すように押さえ板部２７と、この押さえ板部２７の底面に立設された第１係止筒部２８乃至第３係止筒部３０とからなる。コード係止部材２５は、押さえ板部２７が全体略正方形の板状部からなり、幅方向に対して第１領域３１乃至第３領域３３の３つの領域に区割りされてなる。押さえ板部２７は、第１領域３１と第３領域３３とが、前下がりに傾斜する第２領域３２によって連設されてなる。
【００３１】
コード係止部材２５は、押さえ板部２７の第１領域３１に、その一方コーナ部に位置して第１係止筒部２８を一体に立設してなる。コード係止部材２５は、押さえ板部２７の第３領域３３に、両側のコーナ部に位置して第２係止筒部２９と第３係止筒部３０とを一体に立設してなる。コード係止部材２５は、押さえ板部２７が前下がりに傾斜する第２領域３２を介して第１領域３１と第３領域３３とを連設したことにより、後述するようにコード引出しガイド部２２及び第１係止ボス２３と第２係止ボス２４上に組み付けられた状態において、これらの上端面に押さえ板部２７の底面が接する。
【００３２】
第１係止筒部２８は、コード引出しガイド部２２の嵌合孔２６の内径とほぼ等しい外径を有している。なお、第１係止筒部２８については、円柱状に形成するようにしてよい。第２係止筒部２９と第３係止筒部３０とは、第１係止ボス２３と第２係止ボス２４とに対して、それぞれの軸孔３４、３５の内径を外径とほぼ等しく形成されるとともに、それぞれやや長軸に形成されてなる。第２係止筒部２９と第３係止筒部３０とは、図６に示すように下端部が第１係止筒部２８の下端部と略同一位置となる軸長に形成されてなる。
【００３３】
コード保持構造２０においては、一端側に設けたコネクタ１８を制御回路基板１５側のコネクタ１９と接続したコード１７が、コード引出し孔２１からボトムケース３の外部へと引き出される。コード保持構造２０においては、コード１７が、図５に示すように第２係止ボス２４の外周部から第１係止ボス２３の外周部を略１周するようにして蛇行状態に絡ませ、コード引出しガイド部２２の円弧状外周部に沿って折り返してコード引出し孔２１から引き出されるようにする。
【００３４】
コード保持構造２０においては、コード係止部材２５が、図５矢印で示すようにコード引出しガイド部２２及び第１係止ボス２３と第２係止ボス２４に組み付けられる。コード保持構造２０においては、コード係止部材２５が、第１係止筒部２８をコード引出しガイド部２２の嵌合孔２６内に嵌合し、第２係止筒部２９の軸孔２９に第１係止ボス２３を嵌合し、第３係止筒部３０の軸孔３５に第２係止ボス２４を嵌合する。
【００３５】
コード保持構造２０においては、第１係止筒部２８が嵌合孔２６内に嵌合することにより、コード係止部材２５がコード引出しガイド部２２を補強する。コード保持構造２０においては、第２係止筒部２９と第１係止ボス２３及び第３係止筒部３０と第２係止ボス２４とが互いに共軸構造を構成する。コード保持構造２０においては、この状態でコード係止部材２５の第２係止筒部２９と第３係止筒部３０が第１係止ボス２３及び第２係止ボス２４とコード１７との間に介在してその外周部にコード１７をそれぞれ蛇行状態に絡ませるようにする。
【００３６】
コード保持構造２０においては、上述したようにコード係止部材２５を組み付けることによって第２係止筒部２９と第１係止ボス２３及び第３係止筒部３０と第２係止ボス２４とが互いに共軸構造を構成することから、充分な機械的強度を有する軸径と軸長を有してコード１７を保持するようになる。したがって、コード保持構造２０においては、コード１７に対して強い引張り力が作用され衝撃力が加えられた場合でも、これら共軸部位が撓んだり破損したりすることは無く、コード１７の保持状態を確実に維持する。
【００３７】
コード保持構造２０においては、上述したようにコード係止部材２５を組み付けた状態において、その押さえ板部２７が、コード引出しガイド部２２及び第１係止ボス２３と第２係止ボス２４の上方部に延在することによりコード１７の浮き上がりを阻止して抜け止めする。したがって、コード保持構造２０においては、振動や衝撃等が加えられた場合でも、コード１７の保持状態を確実に維持する。
【００３８】
なお、上述した実施の形態においては、キーボード装置１への適用例を示したが、本発明は各種の電子機器等のコード或いはケーブル等の保持構造に適用されることは勿論である。また、コード保持構造２０は、上述した構造に限定されるものではなく、コード引出しガイド部２２及び第１係止ボス２３と第２係止ボス２４の構造によってコード係止部材２５も適宜の形状に形成される。
【００３９】
コード保持構造２０は、途中箇所でコード１７を保持する場合には、コード引出しガイド部２２に対応した押さえ板部２７の第１領域３１や第２領域３２或いは第１係止筒部２８が不要とされる。また、コード保持構造２０は、ケース体に複数個の係止ボスを並んで立設するとともにこれら係止ボス間にコード１７を蛇行状態に絡ませるようにした場合には、各係止ボスに対応して複数個の係止筒部が形成される。
【図面の簡単な説明】
【００４０】
【図１】本発明にかかるコード保持構造を備えるキーボード装置の斜視図である。
【図２】コード保持構造を表すようにしたキーボード装置の分解斜視図である。
【図３】コード保持構造が搭載されたボトムケースの平面図である。
【図４】ボトムケースの斜視図である。
【図５】コード保持構造の構成を説明する要部分解斜視図である。
【図６】コード係止部材の各部位を示す図であり、同図（Ａ）は正面図、同図（Ｂ）は側面図、同図（Ｃ）は底面図である。
【図７】従来のコード保持構造の構成を説明する要部平面図である。
【図８】従来のコード保持構造の要部断面図であり、ケース体にヒケが発生した状態を示す。
【図９】従来のコード保持構造の要部断面図であり、コードの外れが発生した状態を示す。
【符号の説明】
【００４１】
１        キーボード装置
２        キーフレーム
３        ボトムケース
４        キートップ
６        回路基板
７        底面部
８        外周壁部
１５      制御回路基板
１６      コード引出し部
１７      コード
２０      コード保持構造
２１      コード引出し孔
２２      コード引出しガイド部
２３      第１係止ボス
２４      第２係止ボス
２５      コード係止部材
２６      嵌合孔
２７      押さえ板部
２８      第１係止筒部
２９      第２係止筒部
３０      第３係止筒部
３４      軸孔
３５      軸孔 
【図１】
2005129563.tif 000003
【図２】
2005129563.tif 000004
【図３】
2005129563.tif 000005
【図４】
2005129563.tif 000006
【図５】
2005129563.tif 000007
【図６】
2005129563.tif 000008
【図７】
2005129563.tif 000009
【図８】
2005129563.tif 000010
【図９】
2005129563.tif 000011